(57)【要約】【課題】絶縁バリヤを安定してベースに取り付けつつ、異相間方向の大型化を抑制することのできる開閉器の絶縁バリヤ取付構造を提供する。【解決手段】絶縁バリヤ１１０は、板状の取付金具１１１を介して断面コ字状の取付ベース１０１に取り付けられる。取付金具１１１は、バリヤ固定部１１２と、第１側面部１０１Ａに係止する係止金具１２０と、係止金具１２０を固定する金具固定部１１３と、取付ベース１０１の外側から第３側面部１０１Ｃに挿入される第１挿入部１１４と、取付ベース１０１の内側から第２側面部１０１Ｂに挿入される第２挿入部１１５とを備える。取付ベース１０１は、係止孔１３１と、第１挿入孔１３２と、第２挿入孔１３３とを備える。取付金具１１１は、第１挿入部１１４及び第２挿入部１１５が第１挿入孔１３２に挿入された後に、係止金具１２０が係止孔１３１に係止されるとともに、第２挿入部１１５が第２挿入孔１３３に挿入される。【選択図】図３０
2018195387.tif 000002
【特許請求の範囲】
【請求項１】
開閉器の取付ベースに絶縁バリヤが取り付けられる開閉器の絶縁バリヤ取付構造であって、
前記取付ベースは、第１側面部と、前記第１側面部と対向して設けられる第２側面部と、前記第１側面部と前記第２側面部とを接続する第３側面部とからなる断面コ字状であって、
前記絶縁バリヤは、板状の取付金具を介して前記取付ベースに取り付けられ、
前記取付金具は、前記取付ベースの前記第３側面部の外面に当接し、前記絶縁バリヤが固定されるバリヤ固定部と、前記第１側面部に係止する係止金具と、前記バリヤ固定部に接続されて前記係止金具を固定する金具固定部と、前記バリヤ固定部に接続されて前記取付ベースの外側から前記第３側面部に挿入される第１挿入部と、前記第１挿入部に接続されて前記取付ベースの内側から前記第２側面部に挿入される第２挿入部と、を備え、
前記取付ベースは、前記係止金具が係止する係止孔と、前記第１挿入部及び前記第２挿入部が挿入される第１挿入孔と、前記第２挿入部が挿入される第２挿入孔と、を備え、
前記取付金具は、前記第１挿入部及び前記第２挿入部が前記第１挿入孔に挿入された後に、前記係止金具が前記係止孔に係止されるとともに、前記第２挿入部が前記第２挿入孔に挿入される
開閉器の絶縁バリヤ取付構造。
【請求項２】
前記係止金具は、前記金具固定部に固定される基部と、Ｖ字状であって、前記Ｖ字の一方が前記基部に連続して設けられ、前記係止孔に挿入される挿入部と、前記挿入部に設けられ、前記係止孔に係止する係止部と、を備える
請求項１に記載の開閉器の絶縁バリヤ取付構造。
【請求項３】
前記取付ベースの前記係止孔には、突起が設けられ、
前記係止金具の前記基部には、前記突起が係合する係合孔が設けられ、
前記係止金具の前記係止部は、前記係止孔に係合する係合溝である
請求項２に記載の開閉器の絶縁バリヤ取付構造。
【請求項４】
前記取付金具が前記取付ベースに固定された状態において、
前記取付金具の前記金具固定部が前記取付ベースの前記第１側面部の外面に当接する、及び前記取付金具の前記第１挿入部が前記取付ベースの前記第２側面部の内面に当接する、の少なくとも一方となる
請求項１〜３のいずれか一項に記載の開閉器の絶縁バリヤ取付構造。
【請求項５】
開閉器の取付ベースに絶縁バリヤが取り付けられる開閉器の絶縁バリヤ取付構造であって、
前記取付ベースは、第１側面部と、前記第１側面部と対向して設けられる第２側面部と、前記第１側面部と前記第２側面部とを接続する第３側面部とからなる断面コ字状であって、
前記絶縁バリヤは、板状の取付金具を介して前記取付ベースに取り付けられ、
前記取付金具は、前記取付ベースの前記第３側面部の外面に当接し、前記絶縁バリヤが固定されるバリヤ固定部と、前記第１側面部に係止する第１係止部と、前記第３側面部に係止する第２係止部と、前記バリヤ固定部に接続されて前記第１係止部及び前記第２係止部を有し、前記取付ベースの外側から前記第１側面部に挿入されて前記取付ベースの内側から前記第２側面部の外側に突出するベース挿入部と、を備え、
前記取付ベースは、前記ベース挿入部が挿入され、前記第１係止部が係止する第１ベース孔と、前記ベース挿入部が挿入され、前記第２係止部が係止する第２ベース孔と、を備え、
前記取付金具は、前記ベース挿入部が前記第１ベース孔及び前記第２ベース孔に挿入されることで、前記第１係止部が前記第１ベース孔に係止するとともに、前記第２係止部が前記第２ベース孔に係止する
開閉器の絶縁バリヤ取付構造。
【請求項６】
前記第１ベース孔の前記取付ベースの延出方向の幅は、前記第２ベース孔の前記取付ベースの延出方向の幅よりも長く、
前記第１係止部を含む前記ベース挿入部の前記取付ベースの延出方向の幅は、前記第２係止部を含む前記ベース挿入部の前記取付ベースの延出方向の幅よりも長い
請求項５に記載の開閉器の絶縁バリヤ取付構造。
【請求項７】
前記第１ベース孔の前記取付ベースの延出方向と直交する方向の長さは、前記第２ベース孔の前記取付ベースの延出方向と直交する方向の長さよりも長く、
前記第１係止部を含む前記ベース挿入部の前記取付ベースの延出方向と直交する方向の長さは、前記第２係止部を含む前記ベース挿入部の前記取付ベースの延出方向と直交する方向の長さよりも長い
請求項５又は６に記載の開閉器の絶縁バリヤ取付構造。
【請求項８】
前記第２係止部の前記取付ベースの延出方向と直交する方向の長さは、前記第１係止部の前記取付ベースの延出方向と直交する方向の長さよりも長い
請求項５〜７のいずれか一項に記載の開閉器の絶縁バリヤ取付構造。
【請求項９】
前記ベース挿入部は、前記取付ベースに前記取付金具が取り付けられた状態において、前記第１ベース孔に当接する第１傾斜部と、第２ベース孔に当接する第２傾斜部と、を備える
請求項５〜８のいずれか一項に記載の開閉器の絶縁バリヤ取付構造。
【請求項１０】
前記ベース挿入部の先端部は、前記取付ベースの延出方向と直交する方向において先端ほど小さくなっている
請求項５〜９のいずれか一項に記載の開閉器の絶縁バリヤ取付構造。
【発明の詳細な説明】
【技術分野】
【０００１】
本発明は、固定電極に対する可動電極の接離によって回路を開閉する開閉器の絶縁バリヤ取付構造に関する。
【背景技術】
【０００２】
開閉器は、固定電極と、該固定電極と接触させることで通電する可動電極とを備えている。可動電極は、回動可能に支持されている。開閉器は、可動電極を投入方向へ回動させることによって可動電極を固定電極に接触させ、可動電極を開放方向へ回動させることによって可動電極を固定電極から離間させる。これにより、開閉器は、回路の開閉を行う。三相用の開閉器においては、各相の間及び両端に絶縁バリヤが設置されている（例えば、特許文献１参照）。
【０００３】
特許文献１に記載の絶縁バリヤは、絶縁バリヤの後端に設けられた留め具を介してベースに起立姿勢で着脱可能に装着されている。留め具には、係合爪、係合支柱、及び板ばね式のスナップフィットを有する脚片部が設けられている。
【先行技術文献】
【特許文献】
【０００４】
【特許文献１】特開２０１４−２２９５１３号公報
【発明の概要】
【発明が解決しようとする課題】
【０００５】
ところで、上記特許文献１に記載の開閉器の絶縁バリヤ取付構造では、留め具に設けられた脚片部がバリヤを安定させるためにＵ字状の部材である。このため、異相間方向に大型化する必要がある。
【０００６】
本発明は、こうした実情に鑑みてなされたものであり、その目的は、絶縁バリヤを安定してベースに取り付けつつ、異相間方向の大型化を抑制することのできる開閉器の絶縁バリヤ取付構造を提供することにある。
【課題を解決するための手段】
【０００７】
上記課題を解決する開閉器の絶縁バリヤ取付構造は、開閉器の取付ベースに絶縁バリヤが取り付けられる開閉器の絶縁バリヤ取付構造であって、前記取付ベースは、第１側面部と、前記第１側面部と対向して設けられる第２側面部と、前記第１側面部と前記第２側面部とを接続する第３側面部とからなる断面コ字状であって、前記絶縁バリヤは、板状の取付金具を介して前記取付ベースに取り付けられ、前記取付金具は、前記取付ベースの前記第３側面部の外面に当接し、前記絶縁バリヤが固定されるバリヤ固定部と、前記第１側面部に係止する係止金具と、前記バリヤ固定部に接続されて前記係止金具を固定する金具固定部と、前記取付ベースの外側から前記第３側面部に挿入される第１挿入部と、前記第１挿入部に接続されて前記取付ベースの内側から前記第２側面部に挿入される第２挿入部と、を備え、前記取付ベースは、前記係止金具が係止する係止孔と、前記第１挿入部及び前記第２挿入部が挿入される第１挿入孔と、前記第２挿入部が挿入される第２挿入孔と、を備え、前記取付金具は、前記第１挿入部及び前記第２挿入部が前記第１挿入孔に挿入された後に、前記係止金具が前記係止孔に係止されるとともに、前記第２挿入部が前記第２挿入孔に挿入される。
【０００８】
上記構成によれば、板状の取付金具のバリヤ固定部が第３側面部との外面に当接しつつ、係止金具が係止孔に係止され、第２挿入部が第２挿入孔に挿入されるため、取付金具が取付ベースに確実に固定され、絶縁バリヤを安定して取付ベースに取り付けることができる。また、板状の取付金具を用いるため、異相間方向の大型化を抑制することができる。
【０００９】
上記開閉器の絶縁バリヤ取付構造について、前記係止金具は、前記金具固定部に固定される基部と、Ｖ字状であって、前記Ｖ字の一方が前記基部に連続して設けられ、前記係止孔に挿入される挿入部と、前記挿入部に設けられ、前記係止孔に係止する係止部と、を備えることが好ましい。
【００１０】
上記構成によれば、係止金具の挿入部を係止孔に挿入することで係止部が係止孔に係止するため、取付金具を取付ベースに容易に取り付けることができる。
上記開閉器の絶縁バリヤ取付構造について、前記取付ベースの前記係止孔には、突起が設けられ、前記係止金具の前記基部には、前記突起が係合する係合孔が設けられ、前記係止金具の前記係止部は、前記係止孔に係合する係合溝であることが好ましい。
【００１１】
上記構成によれば、係止金具の係合孔が取付ベースの係止孔に設けられた突起に係合するとともに、係止金具の係合溝が係止孔に係合するため、係止金具を２箇所で係合させて確実に取付ベースに固定することができる。
【００１２】
上記開閉器の絶縁バリヤ取付構造について、前記取付金具が前記取付ベースに固定された状態において、前記取付金具の前記金具固定部が前記取付ベースの前記第１側面部の外面に当接する、及び前記取付金具の前記第１挿入部が前記取付ベースの前記第２側面部の内面に当接する、の少なくとも一方となることが好ましい。
【００１３】
上記構成によれば、取付金具の第２側面部側への移動を規制することができる。
上記開閉器の絶縁バリヤ取付構造について、開閉器の取付ベースに絶縁バリヤが取り付けられる開閉器の絶縁バリヤ取付構造であって、前記取付ベースは、第１側面部と、前記第１側面部と対向して設けられる第２側面部と、前記第１側面部と前記第２側面部とを接続する第３側面部とからなる断面コ字状であって、前記絶縁バリヤは、板状の取付金具を介して前記取付ベースに取り付けられ、前記取付金具は、前記取付ベースの前記第３側面部の外面に当接し、前記絶縁バリヤが固定されるバリヤ固定部と、前記第１側面部に係止する第１係止部と、前記第３側面部に係止する第２係止部と、前記バリヤ固定部に接続されて前記第１係止部及び前記第２係止部を有し、前記取付ベースの外側から前記第１側面部に挿入されて前記取付ベースの内側から前記第２側面部の外側に突出するベース挿入部と、を備え、前記取付ベースは、前記ベース挿入部が挿入され、前記第１係止部が係止する第１ベース孔と、前記ベース挿入部が挿入され、前記第２係止部が係止する第２ベース孔と、を備え、前記取付金具は、前記ベース挿入部が前記第１ベース挿入孔及び前記第２ベース挿入孔に挿入されることで、前記第１係止部が前記第１ベース孔に係止するとともに、前記第２係止部が前記第２ベース孔に係止することが好ましい。
【００１４】
上記構成によれば、板状の取付金具のバリヤ固定部が第３側面部との外形に当接しつつ、ベース挿入部が取付ベースに挿入されることで、第１係止部と第２係止部との２個によって取付ベースに係止される。このため、取付金具が取付ベースに確実に固定され、絶縁バリヤを安定して取付ベースに取り付けることができる。また、板状の取付金具を用いるため、異相間方向の大型化を抑制することができる。
【００１５】
上記開閉器の絶縁バリヤ取付構造について、前記第１ベース孔の前記取付ベースの延出方向の幅は、前記第２ベース孔の前記取付ベースの延出方向の幅よりも長く、前記第１係止部を含む前記ベース挿入部の前記取付ベースの延出方向の幅は、前記第２係止部を含む前記ベース挿入部の前記取付ベースの延出方向の幅よりも長いことが好ましい。
【００１６】
上記構成によれば、第２係止部を含むベース挿入部の部分の取付ベースへの挿入が、第１係止部を含むベース挿入部の部分の取付ベースへの挿入よりも容易となる。よって、取付金具の取付ベースへの取り付けが容易である。
【００１７】
上記開閉器の絶縁バリヤ取付構造について、前記第１ベース孔の前記取付ベースの延出方向と直交する方向の長さは、前記第２ベース孔の前記取付ベースの延出方向と直交する方向の長さよりも長く、前記第１係止部を含む前記ベース挿入部の前記取付ベースの延出方向と直交する方向の長さは、前記第２係止部を含む前記ベース挿入部の前記取付ベースの延出方向と直交する方向の長さよりも長いことが好ましい。
【００１８】
上記構成によれば、第２係止部を含むベース挿入部の部分の取付ベースへの挿入が、第１係止部を含むベース挿入部の部分の取付ベースへの挿入よりも容易となる。よって、取付金具の取付ベースへの取り付けが容易である。
【００１９】
上記開閉器の絶縁バリヤ取付構造について、前記第２係止部の前記取付ベースの延出方向と直交する方向の長さは、前記第１係止部の前記取付ベースの延出方向と直交する方向の長さよりも長いことが好ましい。
【００２０】
上記構成によれば、第１係止部よりも第２係止部の方が、取付ベースの延出方向と直交する方向の長さが長いため、第２係止部を含むベース挿入部の部分がたわむことを抑制することができる。
【００２１】
上記開閉器の絶縁バリヤ取付構造について、前記ベース挿入部は、前記取付ベースに前記取付金具が取り付けられた状態において、前記第１ベース孔に当接する第１傾斜部と、第２ベース孔に当接する第２傾斜部と、を備えることが好ましい。
【００２２】
上記構成によれば、ベース挿入部の第１傾斜部が第１ベース孔に当接し、第２傾斜部が第２ベース孔に当接するため、くさびのように作用して、確実に固定されるようになる。
上記開閉器の絶縁バリヤ取付構造について、前記ベース挿入部の先端部は、前記取付ベースの延出方向と直交する方向において先端ほど小さくなっていることが好ましい。
【００２３】
上記構成によれば、ベース挿入部の先端部が細くなっているため、取付金具を取付ベースに取り付ける際に、ベース挿入部を第１ベース孔に挿入した後、第２ベース孔に対して取付ベースの延出方向と直交する方向にずらせば挿入することができるようになる。
【発明の効果】
【００２４】
本発明によれば、絶縁バリヤを安定してベースに取り付けつつ、異相間方向の大型化を抑制することができる。
【図面の簡単な説明】
【００２５】
【図１】第１の実施形態の開閉器の概略構成を示す右上から見た斜視図。
【図２】同実施形態の開閉器の概略構成を示す正面図。
【図３】同実施形態の開閉器の概略構成を示す下面図。
【図４】同実施形態の開閉器の概略構成を示す右側面図。
【図５】同実施形態の開閉器の概略構成を示す左側面図。
【図６】同実施形態の開閉器の開閉機構の構成を示す下面図。
【図７】同実施形態の開閉器の概略構成を示す左下から見た斜視図。
【図８】同実施形態の開閉器の概略構成を示す背面図。
【図９】同実施形態の開閉器の操作機構の構成を示す背面側斜視図。
【図１０】同実施形態の開閉器の操作機構の構成を示す背面側斜視図。
【図１１】同実施形態の開閉器の操作機構の構成を示す背面側斜視図。
【図１２】同実施形態の開閉器のヒューズ支持部の構成を示す右側面図。
【図１３】同実施形態の開閉器の開放状態における構成を示す左下から見た斜視図。
【図１４】同実施形態の開閉器のヒューズ支持部の下端部の構成を示す正面図。
【図１５】同実施形態の開閉器のヒューズ支持部の下端部の構成を示す右側面図。
【図１６】同実施形態の開閉器の固定電極及び可動電極の構成を示す左上から見た斜視図。
【図１７】同実施形態の開閉器の固定電極の構成を示す正面図。
【図１８】同実施形態の開閉器の固定電極及び電源側接続端子の構成を示す背面図。
【図１９】同実施形態の開閉器の固定電極収容部の構成を示す正面図。
【図２０】同実施形態の開閉器の固定電極固定部の構成を示す上面図。
【図２１】同実施形態の開閉器の消弧装置の構成を示す左上から見た斜視図。
【図２２】同実施形態の開閉器のラッチ機構の構成を示す正面図。
【図２３】同実施形態の開閉器のトリップ機構の構成を示す左上から見た斜視図。
【図２４】同実施形態の開閉器の動作検出装置の概略構成を示す正面図。
【図２５】同実施形態の開閉器の動作検出装置の概略構成を示す背面図。
【図２６】同実施形態の開閉器の投入状態における第１動作検出装置の構成を示す右上から見た斜視図。
【図２７】同実施形態の開閉器の開放状態における第１動作検出装置の構成を示す右上から見た斜視図。
【図２８】同実施形態の開閉器の投入状態における第２動作検出装置の構成を示す右上から見た斜視図。
【図２９】同実施形態の開閉器の開放状態における第２動作検出装置の構成を示す右上から見た斜視図。
【図３０】同実施形態の開閉器の絶縁バリヤの取付状態を示す右側面図。
【図３１】同実施形態の開閉器の絶縁バリヤの係止金具の構成を示す断面図。
【図３２】同実施形態の開閉器の絶縁バリヤの取付ベースへの取付を示す右側面図。
【図３３】第２の実施形態の開閉器の絶縁バリヤの取付状態を示す右側面図。
【図３４】同実施形態の開閉器の取付金具の構造を示す斜視図。
【図３５】同実施形態の開閉器の絶縁バリヤの取付ベースへの取付を示す正面図。
【発明を実施するための形態】
【００２６】
（第１の実施形態）
以下の、図１〜図３２を参照して、開閉器の絶縁バリヤ取付構造第１の実施形態について説明する。なお、以下では、「ヒューズ付開閉器」を「開閉器」と省略して記載する。
【００２７】
図１〜図３に示すように、開閉器１は、固定板１０２，１０３により図示しない配電盤内の垂直板等に取り付けられる。開閉器１は、図２に示す状態において、取付ベース１０１が左右方向に延出した状態で設けられる。開閉器１は、取付ベース１０１よりも上側に位置する固定電極３４と、固定電極３４に接離する可動電極２０とを備えている。可動電極２０は、可動電極２０の中心線Ｌ１と固定電極３４の中心線Ｌ２との位置が同一線上となるように設けられている（図２参照）。中心線Ｌ１は、可動電極２０の左右方向の幅の中心を通る直線である。中心線Ｌ２は、固定電極３４の左右方向の幅の中心を通る直線である。固定電極３４と可動電極２０とは、３相各相に対応して設けられている。各相の間及び両端には、絶縁バリヤ１１０が取付金具１１１を介して取付ベース１０１にそれぞれ設置されている。取付ベース１０１の右端には、可動電極２０を操作する操作ハンドル２が設けられている。
【００２８】
図４及び図５に示すように、開閉器１は、断面コ字状に折り曲げ形成された取付ベース１０１を備えている。取付ベース１０１のコ字状は、上側に位置する第１側面部１０１Ａと、第１側面部１０１Ａと対向して平行に設けられる第２側面部１０１Ｂと、第１側面部１０１Ａと第２側面部１０１Ｂとを接続する第３側面部１０１Ｃとからなる。第３側面部１０１Ｃの表面は平面である。取付ベース１０１の左右両側には、一対の断面Ｌ字状の左側固定板１０２と右側固定板１０３とが固定されている（図３参照）。
【００２９】
取付ベース１０１の第３側面部１０１Ｃには、各相別に支持碍子１０が固定されている。支持碍子１０は、取付ベース１０１の第３側面部１０１Ｃに固定される基台部１１と、固定電極３４が取り付けられる固定電極支持部１２と、限流ヒューズ及び可動電極２０が取り付けられるヒューズ支持部１３とが一体に形成されている。固定電極支持部１２は、基台部１１から上方に延出している。ヒューズ支持部１３は、基台部１１から下前方に延出する台支持部１４と、上前方と下後方とに分岐して延出するヒューズ支持台１５とを有している。ヒューズ支持台１５の中央部１６に台支持部１４が連結されている。ヒューズ支持台１５の下端部１８は、ヒューズ支持台１５の上端部１７よりも取付ベース１０１側に位置している。ヒューズ支持台１５の上端部１７には、上部ヒューズ把持金具４０が螺子４３及び板状ナット４４によって固定されている。ヒューズ支持台１５の下端部１８には、下部ヒューズ把持金具５０が螺子５３及び板状ナット５４によって固定されている。上部ヒューズ把持金具４０は、限流ヒューズの上部を把持する把持ホルダ４１と、把持ホルダ４１を押える押え金具４２とを備える。下部ヒューズ把持金具５０は、限流ヒューズの下部を把持する把持ホルダ５１と、把持ホルダ５１を押える押え金具５２とを備える。下部ヒューズ把持金具５０には、下外側方向に導出される負荷側接続端子５５が接続されている。なお、上部ヒューズ把持金具４０が上部ヒューズ把持部に相当する。下部ヒューズ把持金具５０が下部ヒューズ把持部に相当する。
【００３０】
ヒューズ支持台１５の上端には、被動レバー４５の上端部が回動可能に支持されている。被動レバー４５の下端には、欠相開放機構が設けられている。上部ヒューズ把持金具４０と下部ヒューズ把持金具５０との間には、図示しない限流ヒューズが接続される。限流ヒューズは、溶断時に表示部（図示略）が突出する溶断表示装置を備えている。溶断表示装置の表示部が突出すると、被動レバー４５が回動され、欠相開放機構を介して各相の可動電極２０を一斉に開放動作させる。
【００３１】
図２に示すように、ヒューズ支持部１３の中心線Ｌ３は、可動電極２０の中心線Ｌ１及び固定電極３４の中心線Ｌ２と左右方向において位置がずれている。中心線Ｌ３は、ヒューズ支持部１３の左右方向における幅の中心を通る直線である。
【００３２】
図７に示すように、支持碍子１０の基台部１１は、取付ベース１０１に固定される固定部１１Ａを有する。固定部１１Ａは、２組の板状ナット１０４と螺子１０５とによって取付ベース１０１の第３側面部１０１Ｃに固定される。固定部１１Ａの左右には、板状ナット１０４を側方から収容するナット収容部１１Ｂがそれぞれ設けられている。板状ナット１０４は、ナット収容部１１Ｂに収容されることで位置決め及び回り止めされる。螺子１０５は、取付ベース１０１の背面側から挿通されて板状ナット１０４に締結される。なお、図７は、開閉機構が見えるように端の絶縁バリヤ１１０を省略している。
【００３３】
図８に示すように、取付ベース１０１の背面、言い換えれば内側には、取付ベース１０１を補強する固定板１０６が取り付けられている。固定板１０６は、Ｌ字状に曲げられた金属板である。固定板１０６は、第２側面部１０１Ｂの内面と第３側面部１０１Ｃの内面に沿って取り付けられる（図１０参照）。固定板１０６は、支持碍子１０を取付ベース１０１に固定する螺子１０５によって支持碍子１０と一緒に取付ベース１０１に固定される。固定板１０６は、押上棒３０が挿通される切欠部１０６Ａが設けられている。固定部１１Ａの取付ベース１０１と対向する面には、円柱状の突起１１Ｃが２個設けられている。取付ベース１０１の第３側面部１０１Ｃには、突起１１Ｃを嵌合させる貫通孔１０１Ｄが設けられている。固定板１０６には、突起１１Ｃを嵌合させる貫通孔１０６Ｂが設けられている。支持碍子１０の基台部１１は、固定部１１Ａの突起１１Ｃが第３側面部１０１Ｃの貫通孔１０１Ｄに嵌合することで位置決めされる。また、固定板１０６は、固定板１０６の貫通孔１０６Ｂに固定部１１Ａの突起１１Ｃが嵌合することで位置決めされる。
【００３４】
図４及び図５に示すように、可動電極２０は、１枚の板によってＶ字状に形成された１枚刃である。可動電極２０の下端部２０Ａは、第１螺子２１とナット２１Ａとによりヒューズ支持台１５の突起部２２に回動可能に支持されている（図６参照）。可動電極２０は、固定電極３４に接離可能に設けられている。可動電極２０が固定電極３４に接触している状態を回路の投入状態とし、可動電極２０が固定電極３４から離間している状態を回路の開放状態とする。なお、図４及び図５は、開閉機構が見えるように端の絶縁バリヤ１１０を省略している。
【００３５】
図６に示すように、ヒューズ支持台１５の突起部２２は、ヒューズ支持台１５の左側面の中央に設けられている。突起部２２には、突起部２２を保護する軸受金具２４と、上部ヒューズ把持金具４０に接続される導電板２７と、可動電極２０とが第１螺子２１とナット２１Ａとによって締結されている。なお、可動電極２０は第１螺子２１に対して回動可能である。
【００３６】
軸受金具２４は、ヒューズ支持台１５の中央部１６を覆う断面コ字状の部材である。軸受金具２４は、突起部２２と可動電極２０とに挟まれる第１側面部２４Ａと、ヒューズ支持部１３の突起部２２と反対側の側面と対向する第２側面部２４Ｂと、第１側面部２４Ａと第２側面部２４Ｂとを接続するとともに、ヒューズ支持部１３に固定される固定部２４Ｃとを有する。軸受金具２４の第１側面部２４Ａ及び第２側面部２４Ｂは、ヒューズ支持台１５とともに第１螺子２１が貫通している。軸受金具２４の固定部２４Ｃは、第１螺子２１とは異なる２個の第２螺子２５によってヒューズ支持台１５の上面１５Ａに固定されている。
【００３７】
軸受金具２４の固定部２４Ｃには、可動電極２０が固定電極３４から離間する開放方向へ移動する際に可動電極２０の移動範囲を規制する開放規制部２４Ｄが設けられている。開放規制部２４Ｄは、固定部２４Ｃの左端から立設してから可動電極２０の回動範囲に延出した板状部である。図１３に示すように、開放規制部２４Ｄは、可動電極２０が開放されると、可動電極２０の背面が当接する。
【００３８】
導電板２７は、軸受金具２４の第１側面部２４Ａと固定部２４Ｃとに沿う断面Ｌ字状、且つヒューズ支持台１５に沿って上部ヒューズ把持金具４０まで延出する金属部材である。導電板２７は、第１側面部２４Ａと可動電極２０とに挟まれる挟持部２７Ａと、上部ヒューズ把持金具４０に取り付けられる取付部２７Ｂと、挟持部２７Ａと取付部２７Ｂとを接続する接続部２７Ｃとを有する。導電板２７は、軸受金具２４をヒューズ支持台１５に固定した第２螺子２５の２個のうち１個によってヒューズ支持台１５に固定されている。なお、導電板２７は、２個の第２螺子２５によってヒューズ支持台１５に固定してもよい。
【００３９】
導電板２７の取付部２７Ｂは、上部ヒューズ把持金具４０の上面に取り付けられている。導電板２７の取付部２７Ｂの背面には、上部ヒューズ把持金具４０と係止する突起２７Ｄが２個設けられている。突起２７Ｄは、取付部２７Ｂの上部ヒューズ把持金具４０側に突出して、上部ヒューズ把持金具４０の下端部に係止する。取付部２７Ｂの突起２７Ｄが上部ヒューズ把持金具４０の把持ホルダ４１の下端部に係止することで、上部ヒューズ把持金具４０に対して導電板２７を上下方向において位置決めすることができる。
【００４０】
図１２に示すように、第２螺子２５は、板状ナット２６によってヒューズ支持台１５に締結されている。すなわち、ヒューズ支持台１５には、板状ナット２６を突起部２２のない右側面から収容するナット収容部１６Ａが２個設けられている。板状ナット２６は、ナット収容部１６Ａに収容されることで位置決め及び回り止めされる。よって、ヒューズ支持台１５のナット収容部１６Ａに板状ナット２６を収容してから軸受金具２４を突起部２２に装着することでナット収容部１６Ａの開口部が軸受金具２４の第２側面部２４Ｂに覆われて板状ナット２６が閉じ込められる。
【００４１】
図６に示すように、突起部２２には、ヒューズ支持台１５の突起部２２側から軸受金具２４、導電板２７、可動電極２０の順に装着されている。そして、軸受金具２４の第１側面部２４Ａと導電板２７の挟持部２７Ａと可動電極２０の下端部２０Ａとに第１螺子２１を挿通して、軸受金具２４の第１側面部２４Ａと導電板２７の挟持部２７Ａと可動電極２０の下端部２０Ａとをナット２１Ａによってヒューズ支持台１５に締結する。
【００４２】
図７に示すように、可動電極２０は、押上棒３０によって動作される。押上棒３０の一端は、可動電極２０の中央部２０Ｂに回動可能に軸着されている。押上棒３０は、合成樹脂等の絶縁材からなる。取付ベース１０１には、押上棒３０を貫通させる貫通孔１０１Ｅが設けられている。支持碍子１０の基台部１１には、取付ベース１０１の貫通孔１０１Ｅとほぼ一致する貫通孔１１Ｄが設けられている。押上棒３０は、基台部１１の貫通孔１１Ｄ及び取付ベース１０１の貫通孔１０１Ｅを貫通して設けられている。固定板１０６の切欠部１０６Ａは、基台部１１の貫通孔１１Ｄ及び取付ベース１０１の貫通孔１０１Ｅに合わせて切欠き形成されている（図８参照）。なお、貫通孔１１Ｄが貫通孔に相当する。
【００４３】
図８に示すように、左側固定板１０２と右側固定板１０３との間には、回動可能に操作軸３１が架設されている。操作軸３１は、取付ベース１０１の下側に位置している。操作軸３１と押上棒３０とは、押上棒連結リンク３２を介して連結されている。押上棒連結リンク３２は、各相に対して設けられている。押上棒連結リンク３２の一端は、操作軸３１に固定されている。押上棒連結リンク３２の他端は、押上棒３０の他端に回動可能に軸着されている。操作軸３１の右端部３１Ａには、操作ハンドル２が固着されている。操作ハンドル２が操作されると、押上棒３０を含むリンク機構を介して可動電極２０が回動され、固定電極３４と接離する。ここで、操作ハンドル２、操作軸３１、押上棒３０を含むリンク機構が操作機構として機能する。
【００４４】
図１０に示すように、固定板１０６は、可動電極２０が固定電極３４から離間する開放方向へ押上棒３０が移動する際に、押上棒連結リンク３２の移動範囲を規制する操作規制部１０６Ｃを備えている。固定板１０６の第２側面部１０１Ｂの内側に位置する端部は、押上棒３０が可動電極２０を開放状態とする際に、押上棒連結リンク３２が当接することで操作規制部１０６Ｃとして機能する。押上棒連結リンク３２が操作規制部１０６Ｃに当接することで押上棒連結リンク３２の移動が規制されて、可動電極２０や押上棒３０等の損傷を抑制することができる。
【００４５】
図１４に示すように、下部ヒューズ把持金具５０の押え金具５２の下面には、ヒューズ支持台１５の左右方向において挟むように２個の突起５２Ａが設けられている。突起５２Ａの間隔は、ヒューズ支持台１５の左右方向における幅にほぼ一致している。下部ヒューズ把持金具５０をヒューズ支持台１５に取り付ける際に、突起５２Ａによってヒューズ支持台１５の左右方向における下部ヒューズ把持金具５０の位置決めを行うことができる。負荷側接続端子５５の下面には、下部ヒューズ把持金具５０の把持ホルダ５１の下端に係止する２個の突起５５Ａが設けられている。負荷側接続端子５５を下部ヒューズ把持金具５０に取り付ける際に、突起５５Ａによって下部ヒューズ把持金具５０の上下方向における負荷側接続端子５５の位置決めを行うことができる。
【００４６】
図１５に示すように、下部ヒューズ把持金具５０及び負荷側接続端子５５は、螺子５３と板状ナット５４とによってヒューズ支持台１５の下端部１８に固定されている。ヒューズ支持台１５の下端部１８には、板状ナット５４を右側面から収容するナット収容部１８Ａが設けられている。板状ナット５４は、ナット収容部１８Ａに収容されることで位置決め及び回り止めされる。
【００４７】
図１６及び図１７に示すように、固定電極支持部１２の先端には、固定電極３４を収容する固定電極収容部３６が設けられている。固定電極収容部３６は、有底筒状であるとともに、可動電極２０が挿入される側に開口を有する。固定電極３４には、電源側接続端子３５が接続されている。なお、図１６及び図１７は説明のために消弧装置６０を省略した図である。
【００４８】
図１８に示すように、固定電極３４と電源側接続端子３５とは、リベットにより溶着されている。電源側接続端子３５が溶着された固定電極３４の下部には、リベットにより下凸部３４Ａが形成されている。また電源側接続端子３５には、位置決め用の貫通孔３５Ａが設けられている。
【００４９】
図１９に示すように、固定電極収容部３６の内側の底部には、固定電極３４の下凸部３４Ａを嵌合させる凹部３６Ａが設けられている。固定電極収容部３６の両側面には、係止突起３６Ｂが設けられている。
【００５０】
図２０に示すように、固定電極収容部３６の先端には、固定電極３４を螺子３８と板状ナット３９とによって固定する固定電極固定部３７が設けられている。固定電極固定部３７の左端には、上下方向に延出する異相間耐圧壁３７Ｂが設けられている。異相間耐圧壁３７Ｂには、板状ナット３９の落下を抑制する落下抑制部３７Ｃが設けられている。落下抑制部３７Ｃは、異相間耐圧壁３７Ｂから固定電極固定部３７と平行に延出している。板状ナット３９は、固定電極固定部３７と落下抑制部３７Ｃとの間に設置されて、螺子３８によって締結されている。
【００５１】
図１９に示すように、固定電極固定部３７には、電源側接続端子３５の貫通孔３５Ａを嵌合させる突起部３７Ａが設けられている。固定電極３４は、下凸部３４Ａが固定電極収容部３６の凹部３６Ａに嵌合するとともに、電源側接続端子３５の貫通孔３５Ａに突起部３７Ａが嵌合することで固定電極収容部３６に対して上下方向及び左右方向において位置決めすることができる。なお、電源側接続端子３５が固定電極固定部３７に固定されることで、固定電極３４が固定電極収容部３６に設置される。
【００５２】
図２１に示すように、固定電極収容部３６には、可動電極２０を固定電極３４から開放させるときに発生するアークを消弧する消弧装置６０が設けられている。消弧装置６０は、アークとの接触により消弧ガスを発生する合成樹脂からなる。消弧装置６０は、角筒状であって、固定電極収容部３６の外周を覆う。消弧装置６０は、固定電極収容部３６に取り付けられる取付部６１と、取付部６１に連続して設けられ、アークを消弧する細隙部６２と、可動電極２０が挿入される開口部６３とを有する。取付部６１には、固定電極収容部３６の係止突起３６Ｂが係止する係止孔６１Ａを備えている。このように、固定電極収容部３６を消弧装置６０の取付部６１が覆うことで密閉度が高くなっている。また、消弧ガスが発生して、消弧装置６０の内圧が高くなり過ぎたときには、電源側接続端子３５側から消弧ガスが排出される。
【００５３】
図１及び図２に示すように、左側固定板１０２と右側固定板１０３との間には、回動可能に欠相開放軸４６が架設されている。
図１０に示すように、欠相開放軸４６は、取付ベース１０１の上側に位置している。欠相開放軸４６と被動レバー４５とは、欠相連結リンク４７を介して連結されている。欠相連結リンク４７は、各相に対して設けられている。欠相連結リンク４７の中央は、欠相開放軸４６に固定されている。欠相連結リンク４７の一端は、被動レバー４５の他端に回動可能に軸着されている。
【００５４】
図９に示すように、取付ベース１０１の第１側面部１０１Ａには、欠相連結リンク４７の移動範囲は規制する欠相用規制部１０１Ｆが設けられている。欠相用規制部１０１Ｆは、欠相連結リンク４７の他端が貫通した状態で設置される四角孔である。
【００５５】
図２２に示すように、開閉器１は、投入状態に保持するラッチ機構７０を備えている。ラッチ機構７０は、操作ハンドル２の係止部２Ａに係合する係合リンク７１を備えている。係合リンク７１は、左右方向に延出する回転軸７２によって回動可能である。係合リンク７１は、係止部２Ａに係合する係合部７１Ａと、係止部２Ａと係合部７１Ａとの係合及び非係合を使用者が変更する操作部７１Ｂと、欠相時に係止部２Ａと係合部７１Ａとの係合を解除する解除部７１Ｃとを備えている。係合リンク７１は、操作ハンドル２を投入状態に位置させた状態で、操作部７１Ｂを操作して、係合部７１Ａを係止部２Ａに係合させる。
【００５６】
図２３に示すように、開閉器１には、投入状態を解除して開放状態に変更するトリップ機構７６を備えている。トリップ機構７６は、操作軸３１を開放方向に付勢する開放ばね７７を備えている。右側固定板１０３には、開放ばね７７を保持する保持部１０７が固定されている。操作軸３１には、開放ばね７７を係止する係止部３３が固定されている。開放ばね７７は、操作軸３１の係止部３３と保持部１０７とに懸架されている。
【００５７】
図２２に示すように、トリップ機構７６は、係合リンク７１の係合を解除する開放リンク７８を備えている。開放リンク７８は、欠相開放軸４６の右端部４６Ａに固着されている。欠相開放軸４６の回動に伴い開放リンク７８が回動して解除部７１Ｃに当接することで、回転軸７２を中心に係合リンク７１を回動させて係合部７１Ａと係止部２Ａとの係合が解除される。また、係合リンク７１の操作部７１Ｂを使用者が操作することで係止部２Ａとの係合が解除される。係止部２Ａとの係合が解除されると、開放ばね７７の付勢力によって操作軸３１が開放方向へ回動して開放状態に変更される。
【００５８】
図１に示すように、開閉器１は、開閉器１の開閉を検出する第１動作検出装置８０と、限流ヒューズの溶断を検出する第２動作検出装置９０とを備えている。第１動作検出装置８０は、右側固定板１０３の下側に固定されている。第２動作検出装置９０は、右側固定板１０３の上側に固定されている。
【００５９】
図２４及び図２５に示すように、第１動作検出装置８０は、開閉器１に取り付ける取付部材８１と、取付部材８１に対して摺動する摺動部材８２とを備えている。取付部材８１は、螺子８９によって右側固定板１０３に固定されている。取付部材８１には、摺動部材８２の変位をガイドするガイド孔８１Ａが形成されている。ガイド孔８１Ａは、上下方向に形成されている。取付部材８１のガイド孔８１Ａの下端には、ガイド孔８１Ａの下端を塞ぐとともに、摺動部材８２が当接するストッパ８１Ｂが固定されている。
【００６０】
また、第１動作検出装置８０は、摺動部材８２が当接すると信号を出力するリミットスイッチ８３と、開閉器１の開閉時に動作する操作ハンドル２と摺動部材８２とを連結する連結リンク８４とを備えている。摺動部材８２とリミットスイッチ８３と連結リンク８４とは、操作ハンドル２の下方に位置している。連結リンク８４の一端は、操作ハンドル２の長手方向のほぼ中央に回動可能に接続されている。連結リンク８４の他端は、摺動部材８２の左右方向の中央に形成された溝８２Ｄに挿入されて回動可能に接続されている。溝８２Ｄは、摺動方向に沿って延びている。
【００６１】
第２動作検出装置９０は、開閉器１に取り付ける取付部材９１と、取付部材９１に対して摺動する摺動部材９２とを備えている。取付部材９１は、螺子９９によって右側固定板１０３に固定されている。取付部材９１には、摺動部材９２の変位をガイドするガイド孔９１Ａが形成されている。ガイド孔９１Ａは、上下方向に形成されている。取付部材９１のガイド孔９１Ａの上端には、ガイド孔９１Ａの上端を塞ぐとともに、摺動部材９２が当接するストッパ９１Ｂが固定されている。
【００６２】
また、第２動作検出装置９０は、摺動部材９２が当接すると信号を出力するリミットスイッチ９３と、限流ヒューズの溶断時に動作する開放リンク７８と摺動部材９２とを連結する連結リンク９４とを備えている。摺動部材９２とリミットスイッチ９３と連結リンク９４とは、開放リンク７８の上方に位置している。連結リンク９４の一端は、連結部材７９に回動可能に接続されている。連結部材７９は、開放リンク７８に固着されている部材である。連結リンク９４の他端は、摺動部材９２の左右方向の中央に形成された溝９２Ｄに挿入されて回動可能に接続されている。溝９２Ｄは、摺動方向に沿って延びている。
【００６３】
図２６及び図２７に示すように、摺動部材８２は、ガイド孔８１Ａに嵌合した状態で摺動する摺動部８２Ａを有している。摺動部８２Ａには、ガイド孔８１Ａの縁部に嵌合する一対の溝が設けられている。リミットスイッチ８３は、摺動部材８２に当接する一対の接点８３Ａを有している。摺動部材８２は、リミットスイッチ８３の接点８３Ａと当接する傾斜面８２Ｂと平坦面８２Ｃとを有している。リミットスイッチ８３は、接点８３Ａが傾斜面８２Ｂに当接しない位置から傾斜面８２Ｂに当接した後、傾斜面８２Ｂの略中央までの間ではスイッチがオフになり、接点８３Ａが傾斜面８２Ｂの略中央から平坦面８２Ｃの位置ではスイッチがオンになる。リミットスイッチ８３は、スイッチがオンの時に信号を出力する。なお、リミットスイッチ８３は、接点８３Ａが傾斜面８２Ｂに当接しない位置から傾斜面８２Ｂに当接した後、傾斜面８２Ｂの略中央までの間ではスイッチがオンになり、接点８３Ａが傾斜面８２Ｂの略中央から平坦面８２Ｃの位置ではスイッチがオフになるようにしてもよい。
【００６４】
図２６は、操作ハンドル２が上方に回動された投入状態を示している。連結リンク８４は操作ハンドル２によって上方に引っ張られているため、摺動部材８２はガイド孔８１Ａの上端に位置している。リミットスイッチ８３の接点８３Ａは、摺動部材８２の平坦面８２Ｃに当接している。リミットスイッチ８３は、信号を出力する。なお、信号を出力する信号線は図示を省略している。
【００６５】
図２７は、操作ハンドル２が下方に回動された開放状態を示している。連結リンク８４は操作ハンドル２によって下方に押されているため、摺動部材８２はガイド孔８１Ａの下方に位置している。リミットスイッチ８３の接点８３Ａは、摺動部材８２の傾斜面８２Ｂ及び平坦面８２Ｃに当接していない。リミットスイッチ８３は、信号を出力しない。なお、信号を出力する信号線は図示を省略している。
【００６６】
図２８及び図２９に示すように、摺動部材９２は、ガイド孔９１Ａに嵌合した状態で摺動する摺動部９２Ａを有している。摺動部９２Ａには、ガイド孔９１Ａの縁部に嵌合する一対の溝が設けられている。リミットスイッチ９３は、摺動部材９２に当接する一対の接点９３Ａを有している。摺動部材９２は、リミットスイッチ９３の接点９３Ａと当接する傾斜面９２Ｂと平坦面９２Ｃとを有している。リミットスイッチ９３は、接点９３Ａが傾斜面９２Ｂに当接しない位置から傾斜面９２Ｂに当接した後、傾斜面９２Ｂの略中央までの間ではスイッチがオフになり、接点９３Ａが傾斜面９２Ｂの略中央から平坦面９２Ｃの位置ではスイッチがオンになる。リミットスイッチ９３は、スイッチがオンの時に信号を出力する。なお、リミットスイッチ９３は、接点９３Ａが傾斜面９２Ｂに当接しない位置から傾斜面９２Ｂに当接した後、傾斜面９２Ｂの略中央までの間ではスイッチがオンになり、接点９３Ａが傾斜面９２Ｂの略中央から平坦面９２Ｃの位置ではスイッチがオフになるようにしてもよい。
【００６７】
図２８は、操作ハンドル２が上方に回動された投入状態を示している。投入状態では開放リンク７８は下方に回動されている。連結リンク９４は連結部材７９によって下方に引っ張られているため、摺動部材９２はガイド孔９１Ａの下端に位置している。リミットスイッチ９３の接点９３Ａは、摺動部材９２の傾斜面９２Ｂ及び平坦面９２Ｃに当接していない。リミットスイッチ９３は、信号を出力しない。なお、信号を出力する信号線は図示を省略している。
【００６８】
図２９は、操作ハンドル２が下方に回動された開放状態を示している。開放状態では、開放リンク７８は上方に回動されている。連結リンク９４は連結部材７９によって上方に押されているため、摺動部材９２はガイド孔９１Ａの上端に位置している。リミットスイッチ９３の接点９３Ａは、摺動部材９２の平坦面９２Ｃに当接している。リミットスイッチ９３は、信号を出力する。なお、信号を出力する信号線は図示を省略している。
【００６９】
次に、図３０〜図３２を参照して、絶縁バリヤ１１０の取付構造について説明する。
なお、図２に示すように、両端の絶縁バリヤ１１０は、先端部分が外側に傾いた状態で取付ベース１０１に取り付けられており、左端の絶縁バリヤ１１０よりも右端の絶縁バリヤ１１０の方が傾いている。相間に設置された絶縁バリヤ１１０は、取付ベース１０１に垂直に取り付けられている。以下では、相間に設置された絶縁バリヤ１１０について説明する。
【００７０】
図３０に示すように、絶縁バリヤ１１０は、板状の取付金具１１１を介して取付ベース１０１に取り付けられる。絶縁バリヤ１１０は、取付金具１１１のバリヤ固定部１１２にリベットで固定されている。
【００７１】
取付金具１１１は、バリヤ固定部１１２は、取付ベース１０１の第１側面部１０１Ａと第３側面部１０１Ｃとの接続部を含む第１側面部１０１Ａの一部と第３側面部１０１Ｃの一部との外形に対応している。
【００７２】
取付金具１１１は、第１側面部１０１Ａに係止する係止金具１２０と、係止金具１２０を固定する金具固定部１１３とを備えている。また、取付金具１１１は、第１挿入部１１４と、第２挿入部１１５とを備えている。第１挿入部１１４は、取付ベース１０１の外側から第３側面部１０１Ｃに挿入される。第２挿入部１１５は、第１挿入部１１４に接続されて設けられ、取付ベース１０１の内側から第２側面部１０１Ｂに挿入される。
【００７３】
取付ベース１０１には、係止金具１２０が係止する係止孔１３１と、第１挿入部１１４及び第２挿入部１１５が挿入される第１挿入孔１３２と、第２挿入部１１５が挿入される第２挿入孔１３３とが設けられている。係止孔１３１は、取付ベース１０１の第１側面部１０１Ａに設けられている。第２挿入孔１３３は、取付ベース１０１の第３側面部１０１Ｃに設けられている。第２挿入孔１３３は、取付ベース１０１の第２側面部１０１Ｂに設けられている。
【００７４】
図３１に示すように、係止金具１２０は、金具固定部１１３に固定される基部１２１と、係止孔１３１に挿入される挿入部１２２とを備えている。基部１２１は、リベットによって金具固定部１１３に固定される。挿入部１２２は、Ｖ字状であって、Ｖ字の一方が基部１２１に連続して設けられている。挿入部１２２は、係止孔１３１に係合する係合溝１２３を備えている。係合溝１２３は、Ｖ字の基部１２１に連続していない側に設けられている。なお、係合溝１２３が係止孔に係止する係止部に相当する。
【００７５】
取付ベース１０１の係止孔１３１には、突起１３１Ａが設けられている。係止金具１２０の基部１２１には、突起１３１Ａが係合する係合孔１２１Ａが設けられている。
次に、絶縁バリヤ１１０の取付ベース１０１への取り付けを説明する。
【００７６】
図３２に示すように、まず、取付金具１１１の第１挿入部１１４及び第２挿入部１１５は、取付ベース１０１の第３側面部１０１Ｃの外側から取付ベース１０１の第１挿入孔１３２に挿入される（二点鎖線で示した状態）。その後、取付金具１１１の係止金具１２０は、取付ベース１０１の第１側面部１０１Ａの外側から係止孔１３１に係止される。このとき、取付金具１１１の第２挿入部１１５も第２側面部１０１Ｂの内側から第２挿入孔１３３に挿入される（実線で示した状態）。取付金具１１１が取付ベース１０１に固定された状態において、取付金具１１１の金具固定部１１３は、取付ベース１０１の第１側面部１０１Ａの外面に当接する。また、取付金具１１１の第１挿入部１１４は、取付ベース１０１の第３側面部１０１Ｃの第１挿入孔１３２の内縁に当接する。よって、取付金具１１１が取付ベース１０１に固定される。
【００７７】
次に、上記のように構成された開閉器１の動作について説明する。
図１３に示すように、開閉器１の開放状態では、可動電極２０が固定電極３４から離間している。このとき、図２７に示すように、第１動作検出装置８０は、操作ハンドル２が下方へ回動されているため、連結リンク８４を介して摺動部材８２が下方に位置して、リミットスイッチ８３の接点８３Ａが傾斜面８２Ｂ及び平坦面８２Ｃに当接していない状態となり、スイッチがオフとなっている。よって、リミットスイッチ８３から信号が出力されていない。また、図２９に示すように、第２動作検出装置９０は、開放リンク７８が開放しているため、連結部材７９及び連結リンク９４を介して摺動部材９２が上方に位置して、リミットスイッチ９３の接点９３Ａが平坦面９２Ｃに当接した状態となり、スイッチがオンとなっている。よって、リミットスイッチ９３から信号が出力されている。
【００７８】
そして、図１３に示す開閉器１の開放状態において操作ハンドル２が投入方向へ操作されると、可動電極２０が操作機構を介して第１螺子２１を回動中心として固定電極３４側へ回動し、可動電極２０の先端部が消弧装置６０の開口部６３に向かって移動する。
【００７９】
図５に示すように、可動電極２０が第１螺子２１を回動軸として固定電極３４側へ回動されると、可動電極２０の先端部が開口部６３から消弧装置６０の細隙部６２に進入する。その後、可動電極２０は、第１螺子２１を回動中心として固定電極３４に向かって回動されて、可動電極２０の先端部が固定電極３４に接触して投入状態となる。そして、開放リンク７８を操作ハンドル２に係合させて操作ハンドル２を固定する。このとき、図２６に示すように、第１動作検出装置８０は、操作ハンドル２が上方へ回動されているため、連結リンク８４を介して摺動部材８２が上方に位置して、リミットスイッチ８３の接点８３Ａが平坦面８２Ｃに当接した状態となり、スイッチがオンとなっている。よって、リミットスイッチ８３から信号が出力されている。また、図２８に示すように、第２動作検出装置９０は、開放リンク７８が閉じているため、連結部材７９及び連結リンク９４を介して摺動部材９２が下方に位置して、リミットスイッチ９３の接点９３Ａが傾斜面９２Ｂ及び平坦面９２Ｃに当接していない状態となり、スイッチがオフとなっている。よって、リミットスイッチ９３から信号が出力されていない。
【００８０】
また、図５に示すように、開閉器１の投入状態では、可動電極２０が固定電極３４に接触している。そして、操作ハンドル２が開放方向へ操作されると、可動電極２０が操作機構を介して第１螺子２１を回動中心として固定電極３４から離間する側へ回動し、可動電極２０の先端部が固定電極３４から離間する。また、投入状態において３相のいずれかの限流ヒューズが溶断すると、溶断表示装置の表示部が突出して被動レバー４５が回動され、欠相開放機構を介して各相の可動電極２０が一斉に固定電極３４から離間する。このとき、図２９に示すように、第２動作検出装置９０は、開放リンク７８が開放しているため、連結部材７９及び連結リンク９４を介して摺動部材９２が上方に位置して、リミットスイッチ９３の接点９３Ａが平坦面９２Ｃに当接した状態となり、スイッチがオンとなっている。よって、リミットスイッチ９３から信号が出力されている。
【００８１】
図１３に示すように、離間した固定電極３４と可動電極２０の先端部との間には、アークが発生する。発生したアークは、消弧装置６０の細隙部６２において発生した消弧ガスによって消弧装置６０内の内圧が高くなり消滅される。そして、可動電極２０が消弧装置６０からも離間して、開閉器１は開放状態となる。
【００８２】
以上説明したように、本実施形態によれば、以下の効果を奏することができる。
（１）板状の取付金具１１１のバリヤ固定部１１２が第３側面部１０１Ｃの外面に当接しつつ、係止金具１２０が係止孔１３１に係止され、第２挿入部１１５が第２挿入孔１３３に挿入されるため、取付金具１１１が取付ベース１０１に確実に固定され、絶縁バリヤ１１０を安定して取付ベース１０１に取り付けることができる。また、板状の取付金具１１１を用いるため、異相間方向の大型化を抑制することができる。
【００８３】
（２）係止金具１２０の挿入部１２２を係止孔１３１に挿入することで係合溝１２３が係止孔１３１に係止するため、取付金具１１１を取付ベース１０１に容易に取り付けることができる。
【００８４】
（３）係止金具１２０の係合孔１２１Ａが取付ベース１０１の係止孔１３１に設けられた突起１３１Ａに係合するとともに、係止金具１２０の係合溝１２３が係止孔１３１に係合するため、係止金具１２０を２箇所で係合させて確実に取付ベース１０１に固定することができる。
【００８５】
（４）取付金具１１１の金具固定部１１３が取付ベース１０１の第１側面部１０１Ａの外面に当接する、また取付金具１１１の第１挿入部１１４が取付ベース１０１の第２側面部１０１Ｂの内面に当接する。このため、取付金具１１１の第２側面部１０１Ｂ側への移動を規制することができる。
【００８６】
（第２の実施形態）
以下、図３３〜図３５を参照して、開閉器の絶縁バリヤ取付構造の第２の実施形態について説明する。この実施形態の開閉器の絶縁バリヤ取付構造は、取付金具の構造が上記第１の実施形態と異なっている。以下、第１の実施形態との相違点を中心に説明する。
【００８７】
図３３に示すように、絶縁バリヤ２１０は、板状の取付金具２１１を介して取付ベース２０１に取り付けられる。絶縁バリヤ２１０は、取付金具２１１のバリヤ固定部２１２にリベットで固定されている。
【００８８】
取付金具２１１は、絶縁バリヤ２１０が固定されるバリヤ固定部２１２と、取付ベース２０１に挿入されるベース挿入部２１３とを備えている。バリヤ固定部２１２は、取付ベース１０１の第３側面部２０１Ｃの一部の外面に当接している。
【００８９】
取付金具２１１のベース挿入部２１３は、第１側面部２０１Ａに係止する第１係止部２１４と、第２側面部２０１Ｂに係止する第２係止部２１５とを備えている。ベース挿入部２１３は、取付ベース２０１の外側から第１側面部２０１Ａに挿入されて、取付ベース２０１の内側から第２側面部２０１Ｂに挿入されて、第２側面部２０１Ｂから突出する。
【００９０】
取付ベース２０１には、ベース挿入部２１３が挿入されるとともに第１係止部２１４が係止する第１ベース孔２３１と、ベース挿入部２１３が挿入されるとともに第２係止部２１５が係止する第２ベース孔２３２とが設けられている。第１ベース孔２３１は、取付ベース２０１の第１側面部２０１Ａに設けられている。第２ベース孔２３２は、取付ベース２０１の第２側面部２０１Ｂに設けられている。
【００９１】
図３４及び図３５に示すように、第１係止部２１４及び第２係止部２１５は、ベース挿入部２１３の一部を切り出すことで形成されている。第１係止部２１４及び第２係止部２１５は、ベース挿入部２１３から側方にそれぞれ突出している。
【００９２】
第１係止部２１４は、ベース挿入部２１３の延出方向に沿って直方形に切り出され、切り出された部分の一端がベース挿入部２１３に接続している。第１係止部２１４のベース挿入部２１３と接続している部分を第１接続部２１４Ａとする。第１係止部２１４は、第１接続部２１４Ａにおいてベース挿入部２１３の側方へ曲げられて突出している。第１係止部２１４の先端部は、ベース挿入部２１３と平行に形成された第１平面部２１４Ｂとなっている。第１平面部２１４Ｂには、第１ベース孔２３１に係合する第１係合溝２１４Ｃが設けられている。
【００９３】
第２係止部２１５は、ベース挿入部２１３の延出方向に沿ってほぼ直方形に切り出され、切り出された部分の一端がベース挿入部２１３に接続している。第２係止部２１５のベース挿入部２１３と接続している部分を第２接続部２１５Ａとする。第２係止部２１５は、第２接続部２１５Ａにおいてベース挿入部２１３の側方へ曲げられて突出している。第２係止部２１５の先端部は、ベース挿入部２１３と平行に形成された第２平面部２１５Ｂとなっている。第２平面部２１５Ｂには、第２ベース孔２３２に係合する第２係合溝２１５Ｃが設けられている。
【００９４】
第１ベース孔２３１の取付ベース２０１の延出方向の幅Ｗ１は、第２ベース孔２３２の取付ベース２０１の延出方向の幅Ｗ２よりも長い（Ｗ１＞Ｗ２）。また、第１係止部２１４を含むベース挿入部２１３の取付ベース２０１の延出方向の幅Ｗ３は、第２係止部２１５を含むベース挿入部２１３の取付ベース２０１の延出方向の幅Ｗ４よりも長い（Ｗ３＞Ｗ４）。よって、取付ベース２０１の延出方向において、取付ベース２０１とベース挿入部２１３との当接力は、先端側である第２係止部２１５よりも基端側である第１係止部２１４のほうが大きくなる。なお、第１係止部２１４を含むベース挿入部２１３の取付ベース２０１の延出方向の幅Ｗ３は、第１ベース孔２３１の取付ベース２０１の延出方向の幅Ｗ１よりも長く、挿入されることで圧縮される。また、第２係止部２１５を含むベース挿入部２１３の取付ベース２０１の延出方向の幅Ｗ４は、第２ベース孔２３２の取付ベース２０１の延出方向の幅Ｗ２よりも長く、挿入されることで圧縮される。
【００９５】
第１ベース孔２３１の取付ベース２０１の延出方向と直交する方向の長さＸ１は、第２ベース孔２３２の取付ベース２０１の延出方向と直交する方向の長さＸ２よりも長い（Ｘ１＞Ｘ２）。また、第１係止部２１４を含むベース挿入部２１３の取付ベース２０１の延出方向と直交する方向の長さＹ１は、第２係止部２１５を含むベース挿入部２１３の取付ベース２０１の延出方向と直交する方向の長さＹ２よりも長い（Ｙ１＞Ｙ２）。よって、取付ベース２０１の延出方向と直交する方向において、基端側である第１係止部２１４よりも先端側である第２係止部２１５のほうが短いため、基端側で位置決めすることで先端側を容易に挿入することができる。
【００９６】
第２係止部２１５の取付ベース２０１の延出方向と直交する方向の長さＺ２は、第１係止部２１４の取付ベース２０１の延出方向と直交する方向の長さＺ１よりも長い（Ｚ２＞Ｚ１）。取付ベース２０１の延出方向と直交する方向において、基端側である第１係止部２１４よりも先端側である第２係止部２１５のほうが短いため、係止部を曲げていることで発生する付勢力が第１係止部２１４よりも第２係止部２１５のほうが小さい。そこで、取付ベース２０１の延出方向と直交する方向における長さを長くすることで、係止長さを長くして、付勢力が少ない分を補うことができる。
【００９７】
ベース挿入部２１３は、取付ベース２０１に取付金具２１１に取り付けられた状態において、第１ベース孔２３１に当接する第１傾斜部２１６と、第２ベース孔２３２に当接する第２傾斜部２１７とを備える。取付金具２１１を取付ベース２０１に挿入する際に、第１傾斜部２１６が第１ベース孔２３１に当接し、第２傾斜部２１７が第２ベース孔２３２に当接するため、取付金具２１１の位置を固定することができる。
【００９８】
ベース挿入部２１３の先端部は、取付ベース２０１の延出方向と直交する方向において先端ほど小さくなっている。よって、取付金具２１１を取付ベース２０１に挿入し易い。
次に、絶縁バリヤ２１０の取付ベース２０１への取り付けを説明する。
【００９９】
図３３に示すように、まず、取付金具２１１のバリヤ固定部２１２が取付ベース２０１の第３側面部２０１Ｃに接触しながら、取付金具２１１のベース挿入部２１３が取付ベース２０１の第１側面部２０１Ａの外側から取付ベース２０１の第１ベース孔２３１に挿入される。そのまま、取付金具２１１のベース挿入部２１３は、取付ベース２０１の第２側面部２０１Ｂの内側から第２ベース孔２３２に挿入される。このとき、ベース挿入部２１３の第３傾斜部２１８によって第２ベース孔２３２に対するベース挿入部２１３の先端部が誘導される。また、第２係止部２１５は第２ベース孔２３２に接触して突出量が小さくされる。また、第１係止部２１４は第１ベース孔２３１に接触して突出量が小さくされて付勢力が発生し、第２係止部２１５は第２ベース孔２３２に接触して突出量が小さくされて付勢力が発生する。このとき、第１傾斜部２１６によって第１ベース孔２３１に対するベース挿入部２１３の位置が誘導され、第２傾斜部２１７によって第２ベース孔２３２に対するベース挿入部２１３の位置が誘導される。そして、第２係止部２１５の第２係合溝２１５Ｃと第２ベース孔２３２との位置が一致すると、第２係止部２１５の付勢力によって第２係合溝２１５Ｃが第１ベース孔２３１の取付ベース２０１の延出方向の縁部に係合する。同様に、第１係止部２１４の第１係合溝２１４Ｃと第１ベース孔２３１との位置が一致すると、第１係合溝２１４Ｃの取付ベース２０１の延出方向の縁部に係合する。よって、取付金具２１１のバリヤ固定部２１２とベース挿入部２１３とが取付ベース２０１を挟んだ状態となり、ベース挿入部２１３が第１ベース孔２３１と第２ベース孔２３２とに係合して、取付金具２１１が取付ベース２０１に固定される。
【０１００】
以上説明したように、本実施形態によれば、以下の効果を奏することができる。
（１）板状の取付金具２１１のバリヤ固定部２１２が第３側面部１０１Ｃの外面に当接しつつ、ベース挿入部２１３が取付ベース２０１に挿入されることで、第１係止部２１４と第２係止部２１５との２個によって取付ベース２０１に係止される。このため、取付金具２１１が取付ベース２０１に確実に固定され、絶縁バリヤ２１０を安定して取付ベース２０１に取り付けることができる。また、板状の取付金具２１１を用いるため、異相間方向の大型化を抑制することができる。
【０１０１】
（２）取付ベース２０１の延出方向において、第２係止部２１５を含むベース挿入部２１３の部分の取付ベース２０１への挿入が、第１係止部２１４を含むベース挿入部２１３の部分の取付ベース２０１への挿入よりも容易となる。よって、取付金具２１１の取付ベース２０１への取り付けが容易である。
【０１０２】
（３）取付ベース２０１の延出方向と直交する方向において、第２係止部２１５を含むベース挿入部２１３の部分の取付ベース２０１への挿入が、第１係止部２１４を含むベース挿入部２１３の部分の取付ベース２０１への挿入よりも容易となる。よって、取付金具２１１の取付ベース２０１への取り付けが容易である。
【０１０３】
（４）第１係止部２１４よりも第２係止部２１５の方が、取付ベース２０１の延出方向と直交する方向の長さが長いため、第２係止部２１５を含むベース挿入部２１３の部分がたわむことを抑制することができる。
【０１０４】
（５）ベース挿入部２１３の第１傾斜部２１６が第１ベース孔２３１に当接し、第２傾斜部２１７が第２ベース孔２３２に当接するため、くさびのように作用して、確実に固定されるようになる。
【０１０５】
（６）ベース挿入部２１３の先端部が細くなっているため、取付金具２１１を取付ベース２０１に取り付ける際に、ベース挿入部２１３を第１ベース孔２３１に挿入した後、第２ベース孔２３２に対して取付ベース２０１の延出方向と直交する方向にずらせば挿入することができるようになる。
【０１０６】
（７）第３側面部１０１Ｃに挿入孔等を何も設けていないため、取付ベース１０１の第３側面部１０１Ｃに第１挿入孔１３２を設けた第１の実施形態よりも安価となるとともに、４枚のバリヤは同一の形状及び同一の取付構造とすることができる。
【０１０７】
（８）取付ベース２０１には、第１係止部２１４が係止する第１ベース孔２３１と、第２係止部２１５が係止する第２ベース孔２３２とが上下に位置して設けられている。このため、例え第１係止部２１４及び第２係止部２１５の係合が弱くなってもベース挿入部２１３（第１傾斜部２１６、第２傾斜部２１７）が第１ベース孔２３１及び第２ベース孔２３２に係合して安定して取付られ、落下するおそれがない。
【０１０８】
なお、上記実施形態は、これを適宜変更した以下の形態にて実施することもできる。
・上記第１の実施形態の構成において、取付金具１１１の金具固定部１１３が取付ベース１０１の第１側面部１０１Ａの外面に当接するとともに、取付金具１１１の第１挿入部１１４が取付ベース１０１の第２側面部１０１Ｂの内面に当接した。しかしながら、一方のみでもよく、両方とも当接しなくてもよい。
【０１０９】
・上記第１の実施形態の構成において、係止孔１３１に係止する形状は係合溝１２３に限らず、係止できれば他の形状でもよい。
・上記第１の実施形態の構成において、係止孔１３１に係止する係合溝１２３を省略してもよい。
【０１１０】
・上記第２の実施形態では、ベース挿入部２１３の先端部が取付ベース２０１の延出方向と直交する方向において先端ほど小さくしたが、ベース挿入部２１３の先端部が同じ幅であってもよい。
【０１１１】
・上記第２の実施形態では、取付金具２１１が第１ベース孔２３１に当接する第１傾斜部２１６と第２ベース孔２３２に当接する第２傾斜部２１７とを備えたが、第１傾斜部２１６と第２傾斜部２１７とを省略してもよい。
【０１１２】
・上記第２の実施形態では、第２係止部２１５の取付ベース２０１の延出方向と直交する方向の長さＺ２を、第１係止部２１４の取付ベース２０１の延出方向と直交する方向の長さＺ１よりも長くした（Ｚ２＞Ｚ１）。しかしながら、第２係止部２１５の長さＺ２を第１係止部２１４の長さＺ１以上（Ｚ２≧Ｚ１）としてもよい。
【０１１３】
・上記第２の実施形態では、第１ベース孔２３１の取付ベース２０１の延出方向と直交する方向の長さＸ１を、第２ベース孔２３２の取付ベース２０１の延出方向と直交する方向の長さＸ２よりも長くした（Ｘ１＞Ｘ２）。しかしながら、第１ベース孔２３１の長さＸ１を、第２ベース孔２３２の長さＸ２と同じ（Ｘ１＝Ｘ２）としてもよい。また、第１係止部２１４を含むベース挿入部２１３の取付ベース２０１の延出方向と直交する方向の長さＹ１を、第２係止部２１５を含むベース挿入部２１３の取付ベース２０１の延出方向と直交する方向の長さＹ２よりも長くした（Ｙ１＞Ｙ２）しかしながら、第１係止部２１４の長さＹ１と第２係止部２１５の長さＹ２とを同じ（Ｙ１＝Ｙ２）としてもよい。
【０１１４】
・上記第２の実施形態では、第１ベース孔２３１の取付ベース２０１の延出方向の幅Ｗ１を、第２ベース孔２３２の取付ベース２０１の延出方向の幅Ｗ２よりも長くしたが、幅Ｗ１と幅Ｗ２とを同じ（Ｗ１＝Ｗ２）としてもよい。また、第１係止部２１４を含むベース挿入部２１３の取付ベース２０１の延出方向の幅Ｗ３は、第２係止部２１５を含むベース挿入部２１３の取付ベース２０１の延出方向の幅Ｗ４よりも長くした。しかしながら、幅Ｗ３と幅Ｗ４とを同じ（Ｗ３＝Ｗ４）としてもよい。
【０１１５】
・上記各実施形態では、取付ベース１０１の第１側面部１０１Ａと第２側面部１０１Ｂとを対向して平行に設けたが、第１側面部１０１Ａと第２側面部１０１Ｂとが対向していれば平行でなくてもよい。
【符号の説明】
【０１１６】
１…開閉器、２…操作ハンドル、２Ａ…係止部、１０…支持碍子、１１…基台部、１１Ａ…固定部、１１Ｂ…ナット収容部、１１Ｃ…突起、１１Ｄ…貫通孔、１２…固定電極支持部、１３…ヒューズ支持部、１４…台支持部、１５…ヒューズ支持台、１５Ａ…上面、１６…中央部、１６Ａ…ナット収容部、１７…上端部、１８…下端部、１８Ａ…ナット収容部、２０…可動電極、２０Ａ…下端部、２０Ｂ…中央部、２１…第１螺子、２１Ａ…ナット、２２…突起部、２４…軸受金具、２４Ａ…第１側面部、２４Ｂ…第２側面部、２４Ｃ…固定部、２４Ｄ…開放規制部、２５…第２螺子、２６…板状ナット、２７…導電板、２７Ａ…挟持部、２７Ｂ…取付部、２７Ｃ…接続部、２７Ｄ…突起、３０…押上棒、３１…操作軸、３１Ａ…右端部、３２…押上棒連結リンク、３３…係止部、３４…固定電極、３４Ａ…下凸部、３５…電源側接続端子、３５Ａ…貫通孔、３６…固定電極収容部、３６Ａ…凹部、３６Ｂ…係止突起、３７…固定電極固定部、３７Ａ…突起部、３７Ｂ…異相間耐圧壁、３７Ｃ…落下抑制部、３８…螺子、３９…板状ナット、４０…上部ヒューズ把持金具、４１…把持ホルダ、４２…押え金具、４３…螺子、４４…板状ナット、４５…被動レバー、４６…欠相開放軸、４７…欠相連結リンク、５０…下部ヒューズ把持金具、５１…把持ホルダ、５２…押え金具、５２Ａ…突起、５３…螺子、５４…板状ナット、５５…負荷側接続端子、５５Ａ…突起、６０…消弧装置、６１…取付部、６１Ａ…係止孔、６２…細隙部、６３…開口部、７０…ラッチ機構、７１…係合リンク、７１Ａ…係合部、７１Ｂ…操作部、７１Ｃ…解除部、７２…回転軸、７６…トリップ機構、７７…開放ばね、７８…開放リンク、７９…連結部材、８０…第１動作検出装置、８１…取付部材、８１Ａ…ガイド孔、８１Ｂ…ストッパ、８２…摺動部材、８２Ａ…摺動部、８２Ｂ…傾斜面、８２Ｃ…平坦面、８２Ｄ…溝、８３…リミットスイッチ、８３Ａ…接点、８４…連結リンク、８９…螺子、９０…第２動作検出装置、９１…取付部材、９１Ａ…ガイド孔、９１Ｂ…ストッパ、９２…摺動部材、９２Ａ…摺動部、９２Ｂ…傾斜面、９２Ｃ…平坦面、９２Ｄ…溝、９３…リミットスイッチ、９３Ａ…接点、９４…連結リンク、９９…螺子、１０１…取付ベース、１０１Ａ…第１側面部、１０１Ｂ…第２側面部、１０１Ｃ…第３側面部、１０１Ｄ…貫通孔、１０１Ｅ…貫通孔、１０１Ｆ…欠相用規制部、１０２…左側固定板、１０３…右側固定板、１０４…板状ナット、１０５…螺子、１０６…固定板、１０６Ａ…切欠部、１０６Ｂ…貫通孔、１０６Ｃ…操作規制部、１０７…保持部、１１０…絶縁バリヤ、１１１…取付金具、１１２…バリヤ固定部、１１３…金具固定部、１１４…第１挿入部、１１５…第２挿入部、１２０…係止金具、１２１…基部、１２１Ａ…係合孔、１２２…挿入部、１２３…係合溝、１３１…係止孔、１３１Ａ…突起、１３２…第１挿入孔、１３３…第２挿入孔、２０１…取付ベース、２０１Ａ…第１側面部、２０１Ｂ…第２側面部、２０１Ｃ…第３側面部、２１０…絶縁バリヤ、２１１…取付金具、２１２…バリヤ固定部、２１３…ベース挿入部、２１４…第１係止部、２１４Ａ…第１接続部、２１４Ｂ…第１平面部、２１４Ｃ…第１係合溝、２１５…第２係止部、２１５Ａ…第２接続部、２１５Ｂ…第２平面部、２１５Ｃ…第２係合溝、２１６…第１傾斜部、２１７…第２傾斜部、２１８…第３傾斜部、２３１…第１ベース孔、２３２…第２ベース孔、Ｌ１，Ｌ２，Ｌ３…中心線。
【図１】
2018195387.tif 000003
【図２】
2018195387.tif 000004
【図３】
2018195387.tif 000005
【図４】
2018195387.tif 000006
【図５】
2018195387.tif 000007
【図６】
2018195387.tif 000008
【図７】
2018195387.tif 000009
【図８】
2018195387.tif 000010
【図９】
2018195387.tif 000011
【図１０】
2018195387.tif 000012
【図１１】
2018195387.tif 000013
【図１２】
2018195387.tif 000014
【図１３】
2018195387.tif 000015
【図１４】
2018195387.tif 000016
【図１５】
2018195387.tif 000017
【図１６】
2018195387.tif 000018
【図１７】
2018195387.tif 000019
【図１８】
2018195387.tif 000020
【図１９】
2018195387.tif 000021
【図２０】
2018195387.tif 000022
【図２１】
2018195387.tif 000023
【図２２】
2018195387.tif 000024
【図２３】
2018195387.tif 000025
【図２４】
2018195387.tif 000026
【図２５】
2018195387.tif 000027
【図２６】
2018195387.tif 000028
【図２７】
2018195387.tif 000029
【図２８】
2018195387.tif 000030
【図２９】
2018195387.tif 000031
【図３０】
2018195387.tif 000032
【図３１】
2018195387.tif 000033
【図３２】
2018195387.tif 000034
【図３３】
2018195387.tif 000035
【図３４】
2018195387.tif 000036
【図３５】
2018195387.tif 000037